(57)【特許請求の範囲】
【請求項１】
電子メールを受信する機能を有した電子メール端末装置において、
上記電子メールのメールアドレスと、このメールアドレスに対応する個人情報とを用い、上記受信した電子メールに対して、上記個人情報に対応した情報の修正や補足情報の追加を行う個人情報適応変換手段と、
上記個人情報適応変換手段によって加工された電子メールをテキスト音声変換する音声発生手段を含む報知手段とを備え、
上記個人情報は、その個人の姓名の読み仮名を含んでおり、
上記個人情報適応変換手段は、上記読み仮名を用いて上記電子メールに対して上記読み仮名を追加することを特徴とする電子メール端末装置。
【請求項２】
請求項１に記載の電子メール端末装置において、
上記個人情報は、その個人の住所を含んでおり、
上記個人情報適応変換手段は、上記個人情報が含む住所に応じて、上記電子メールの情報を修正することで、上記住所に応じて、上記音声発生手段が上記電子メールを読み上げるときの調子,アクセント等の表音を変えることを特徴とする電子メール端末装置。
【発明の詳細な説明】
【０００１】
【発明の属する技術分野】
この発明は、電子メールのメールアドレスに対応する個人情報に応じて、受信した電子メールの情報を加工して報知する電子メール端末装置に関する。
【０００２】
【従来の技術】
例えば、特開平１１−１５４１５７公報には、電子メールのパーソナル情報を抽出する方法、および、この情報の更新支援に関する技術が開示されている。
【０００３】
しかし、この特開平１１−１５４１５７公報には、パーソナル情報を抽出して、住所録等を更新することは記載されているが、メール情報を報知に利用することは記載されていない。
【０００４】
一方、携帯電話等では、発信先の電話番号を報知する手段として、表示,光,音楽等で発信者を識別する手段が利用されているが、テキスト音声変換による音声発生手段による報知は利用されていない。
【０００５】
【発明が解決しようとしている課題】
近年、情報の伝達手段として電子メールが多用されて来ており、このメールの表示による報知以外の手法として、音声発生による報知が利用可能である。
【０００６】
しかし、音声発生手段による報知として音声データを利用すると、データ量が大きく、通信時間と費用が掛かることになる。
【０００７】
また、テキスト音声変換を行う音声発生手段においては、下記のような問題が発生する。
【０００８】
▲１▼ 音声発生手段によるメール情報の報知において、差出人や、本文にある内容が分からない、または分かり難い。
【０００９】
すなわち、同姓あるいは、同名の人がいたり、同じ文字列でありながら異なる読み方があり、音声発生手段によるメール情報の報知において、読みや、区切り、アクセントの位置、イントネーション等が、実際と異なると、メールの差出人が、誰か分からない、または分かり難い。また、内容の意味が分からない、リアル性に欠け、異なるイメージをうける場合がある。
【００１０】
▲２▼ 音声発生手段による読み上げによる報知の場合、表示手段による報知のように一覧で内容を確認できず、時系列で読み上げる為、誰からのメールかを、いち早く理解できない場合がある。
【００１１】
▲３▼ 音声発生手段によってメール情報を報知する場合、テキストから音声変換するにあたり、差出人の姓名の読み上げについては、前後の文章を参考にしても読みを類推し、読み分けることは難しく、最も一般的な読み方で読み上げてしまうか、特定の読み方に決めてしまうことになります。このため、特殊な読み方をする姓名の場合や、同一の文字列の姓や名でありながら複数の読みの人がいる場合、読み間違いが発生し、差出人が誰か分からず、電子メールの内容についても理解できない事態が起こり得る。
【００１２】
▲４▼ また、差出人が親戚等で同一の住所で同一姓の人が複数いる場合、“地名の誰”という表現がなされても、差出人の特定が難しく、電子メールの内容についての理解ができない場合がある。
【００１３】
▲５▼ さらに、差出人が女性であるにもあるにも関わらず、男性音で読み上げた場合とか、差出人が大阪の人であるにも関わらず、東京のアクセントで読み上げた場合、リアル性が無く、差出人を勘違いする可能性がある。
【００１４】
▲６▼ さらに、メールを受信した相手が初めての差出人の場合、その差出人に関する情報を持っていない場合があり、どんな音声で読み上げると、その人のイメージに合うのか不明の場合もある。
【００１５】
そこで、この発明の目的は、受信した電子メールを、テキスト音声変換によって、読み誤ることなく正確に読み上げることができる電子メール端末装置を提供することにある。
【００１６】
【課題を解決するための手段】
上記目的を達成するため、この発明は、電子メールを受信する機能を有した電子メール端末装置において、上記電子メールのメールアドレスと、このメールアドレスに対応する個人情報とを用い、上記受信した電子メールに対して、上記個人情報に対応した情報の修正や補足情報の追加を行う個人情報適応変換手段と、
上記個人情報適応変換手段によって加工された電子メールをテキスト音声変換する音声発生手段を含む報知手段とを備え、上記個人情報は、その個人の姓名の読み仮名を含んでおり、
上記個人情報適応変換手段は、上記読み仮名を用いて上記電子メールに対して上記読み仮名を追加することを特徴としている。
【００１７】
この発明では、個人情報適応変換手段で、電子メールのメールアドレスと、姓名等の個人情報とを用いて、受信した電子メール情報の修正,補足情報の追加を、個人情報に適応して行う。そして、この情報加工された電子メールを、報知手段の音声発生手段でテキスト音声変換して報知する。
【００１８】
したがって、この発明によれば、受信した電子メール情報を、メールアドレスの個人情報に適応して、情報加工することで、受信した電子メールの内容を、テキスト音声変換によって正しく報知できる。
【００１９】
また、一実施形態の電子メール端末装置は、上記報知手段は、上記電子メールの本文を読み上げる前に、上記電子メールの差出人情報を先に報知する。
【００２０】
この実施形態では、報知手段が、電子メールの本文を読み上げる前に、差出人情報を先に報知する。したがって、音声発生手段による時系列に従った読み上げの際に、表示手段による報知のように一覧で内容を確認できなくても、誰からのメールかを、いち早く理解できる上に、それ以降の電子メールの本文についての理解が容易になる。
【００２１】
また、この発明の電子メール端末装置は、上記個人情報は、その個人の姓名の読み仮名を含んでいる。
【００２２】
この発明では、個人情報として、姓名の読み仮名を利用するので、メール差出人の姓名の読み間違いを防止でき、電子メールの内容を理解し易くできる。
【００２３】
また、一実施形態の電子メール端末装置は、上記個人情報は、その個人の住所を含んでいる。
【００２４】
この実施形態では、個人情報として、住所を利用するから、差出人を特定し易くなり、電子メールの内容についても理解し易くなる。特に、同姓の人や、読みが同一の人が複数人存在する場合、住所情報の全部または一部を補足することによって、差出人を特定し易くなり、受信した電子メールの内容を理解し易くなる。
【００２５】
また、他の実施形態の電子メール端末装置は、上記個人情報は、その個人と受信者との間柄を含んでいる。
【００２６】
この実施形態では、個人情報として、その個人と受信者との間柄を利用するから、差出人の補足情報が報知され、差出人を特定し易くなり、電子メールの内容を理解し易くできる。特に、親戚等で同一の住所で同一姓の人が複数いる場合、間柄情報を補足することが有効である。
【００２７】
また、一実施形態の電子メール端末装置は、上記個人情報は、その個人の性別を含んでいる。
【００２８】
この実施形態では、個人情報として性別を利用するから、差出人の性別によって、音声発生手段による男性音,女性音での読み分けが可能となり、リアル性をより向上でき、差出人を特定し易くなり、電子メールの内容を理解し易くなる。
【００２９】
また、他の実施形態の電子メール端末装置は、上記個人情報適応変換手段は、上記個人情報が含む住所に応じて、上記電子メールの情報を修正することで、上記住所に応じて、上記音声発生手段が上記電子メールを読み上げるときの調子,アクセント等の表音を変える。
【００３０】
この実施形態では、個人情報の住所に応じて、音声発生手段におけるアクセント,イントネーション等の読み上げ方法を変えるから、リアル性をより向上でき、差出人を特定し易くなり、電子メールの内容を理解し易くできる。
【００３１】
また、一実施形態の電子メール端末装置は、上記個人情報適応変換手段は、上記電子メールに添付された個人情報を用いる。
【００３２】
この実施形態では、電子メールに添付された個人情報を利用するから、初めての差出人からの電子メールを受信した場合や、メモリー容量を多く持たない小型,ローコストの端末装置の場合であっても、個人情報を利用でき、電子メールの読み間違い防止や理解容易性を向上することができる。
【００３３】
【発明の実施の形態】
以下、この発明の電子メール端末装置を図示の実施の形態に基いて詳細に説明する。
【００３４】
図１に、この発明の実施形態である個人情報適応電子メール端末装置のブロック構成を示す。この実施形態の個人情報適応電子メール端末装置１ａは、電子メール端末機能１００と報知手段６０と個人情報部５０と備える。
【００３５】
上記電子メール端末機能１００は、個人情報適応変換部４０と個人特定部３０と電子メール処理部２０と通信部１０とを有する。
【００３６】
上記報知手段６０は、テキスト音声変換する音声発生手段からなり、ユーザーに音声で情報を報知する。また、個人情報部５０は、メールアドレス,姓名等の情報を格納している。
【００３７】
次に、図２を参照して、上記個人情報適応電子メール端末装置１ａの概略処理フローを説明する。
【００３８】
まず、ステップＳ１で、この装置１ａの外部から、電子メール情報等のデータの入出力を行なう通信部１０を通して、データを取得する。次に、ステップＳ２に進み、電子メール処理部２０が、通信部１０から得たデータのうち通信上の制御データ等以外を、電子メール情報に変換する。
【００３９】
次に、ステップＳ３に進み、個人特定部３０が、電子メール処理部２０で得た電子メール情報が含んでいるアドレス情報等から個人を特定し、この特定した個人の情報を個人情報部５０に格納された個人情報から抽出する。
【００４０】
次に、ステップＳ４に進み、個人情報適応変換部４０が、個人特定部３０で抽出した特定個人の情報と電子メール情報とに基いて情報変換を行うことにより、上記電子メール情報を修正し,補足情報の追加を行い、分かり易い電子メール情報に変換する。
【００４１】
次に、ステップＳ５に進み、報知手段６０は、個人情報適応変換部４０によって情報の変換が行なわれた電子メール情報に基いて、この電子メール情報を分かり易く報知する。
【００４２】
次に、図３に、上記報知手段６０のブロック図を示す。この報知手段６０は、テキスト音声変換部６１と音素発生部６２と音声発生部６３とからなる。
【００４３】
上記報知手段６０には、個人情報適応変換部４０から報知情報がテキストで渡される。この報知手段６０のテキスト音声変換部６１は、テキスト音声変換技術と音声合成技術を利用して、上記テキストデータを音素データに変換して、音素発生部６２に入力する。音素発生部６２は、上記音素データを電気信号に変換して音声発生部６３に入力し、音声発生部６３は上記電気信号をスピーカを利用して音声に変換する。
【００４４】
次に、図４に、この端末装置１ａにおいて、個人情報部５０に格納される個人情報５０ａの具体的内容の一例を示す。
【００４５】
この一例では、個人情報５０ａは、メールアドレスの項目５１と、姓名の項目５２と、読み仮名の項目５３と、住所の項目５４と、間柄の項目５５と、性別の項目５６を備え、上記各項目の下に連なる欄にその情報を予め格納して記憶している。
【００４６】
例えば、この端末装置１ａに設けたキー入力手段を操作することによって、個人情報部５０に、個人情報５０ａを入力することができる。また、外部の装置が持っている情報を、端末装置１ａの通信部１０を介して、個人情報部５０に、入力することもできる。
【００４７】
次に、この実施形態で取り扱うような電子メール情報の第１,第２例を図５(Ａ),図６(Ａ)に示し、この第１,第２例の電子メール情報を、個人適応変換部４０で分かり易い電子メール情報に変換した結果の一例を図５(Ｂ),図６(Ｂ)に示す。この図５と図６は、メール差出人の名前の漢字が同一であるが、その読みが異なる人が差出人である場合の一例を表している。
【００４８】
この図５と図６を参照して、個人適応変換部４０で、具体的な個人情報に適応させた電子メールの修正および補足情報の追加動作の一例を説明する。
【００４９】
まず、図５(Ａ)に示す差出人メールアドレス７１１を、図４に示す個人情報５０ａのメールアドレスの項目５１で検索し、このアドレス７１１が特定のメールアドレス５１１と一致することで、個人情報５０ａをアドレス５１１の行に特定する。
【００５０】
次に、この個人情報５０ａのアドレス５１１の行において、姓名の項目５２と、読み仮名の項目５３を参照し、図５(Ａ)の差出人メールアドレス７１１に情報追加して、図５(Ｂ)の情報変換後の差出人情報７１３の“古川  幸子(こかわ  さちこ)”のように、メール差出人の情報追加を行う。
【００５１】
また、図５(Ａ)のメール本文７１２については、個人情報５０ａの姓名の項目５２にある“古川  幸子”の文字列を参照し、スペースを除いた文字列で合致する文字列“古川幸子”の文字列を、テキスト表記の姓と名の区切り修正して、“古川  幸子”とする。さらに、読み仮名の項目５３に在る情報を適用して情報変換し、情報変換後のメール情報７１４のように、“(こかわ  さちこ)”と読み上げるようにしている。ここでは、情報変換後の表記例として、読み上げ内容をテキスト表記している。
【００５２】
一方、図６(Ａ),(Ｂ)に示す変換では、図６(Ａ)に示す差出人メールアドレス７２１から、上述の場合(図５)と同様に、個人情報５０ａを参照し、個人情報５０ａをアドレス５１２の行に特定する。次に、図６(Ａ)の差出人情報７２１を、図６(Ｂ)に符号７２３で示すように、“古川  幸子(ふるかわ  ゆきこ)”と情報変換し、図６(Ａ)のメール本文７２２は、図６(Ｂ)に符号７２４で示すように変換する。
【００５３】
この図５,図６で説明したような情報変換によって、同一文字列である“古川幸子”を、“こかわ  さちこ”と“ふるかわ  ゆきこ”とに読み分けることができ、また、姓と名の区切りもつけることができる。
【００５４】
また、図５(Ｂ),図６(Ｂ)で示したように、メールの本文７１４,７２４の前に、差出人情報７１３,７２３を報知することによって、受取人は差出人を認識した上で本文の内容を聞けることとなり、受取人(ユーザー)はより一層内容を理解し易くなる。
【００５５】
次に、図７(Ａ)に、電子メール情報の第３例を示し、図７(Ｂ)に、図７(Ａ)の電子メール情報を、個人適応変換部４０で分かり易い電子メール情報に変換した結果の例を示す。
【００５６】
上述の第１,第２例と同様に、図７(Ａ)に示す差出人メールアドレス７３１に基づいて、個人情報５０ａを参照し、個人情報５０ａをアドレス５１３の行に特定する。次に、個人情報５０ａの住所の項目５４も参照し、差出人情報を、例７３３に示すように、“古川  太郎(東京のふるかわ  たろう)”と情報変換する。また、図７(Ａ)に示すメール本文７３２は、差出人情報と同様に、図７(Ｂ)に示す変換例７３４のように変換する。
【００５７】
次に、図８(Ａ)に、電子メール情報の第４の例を示し、図８(Ｂ)に、図８(Ａ)の電子メール情報を、個人適応変換部４０で変換して、分かり易い電子メール情報に変換した変換例を示す。この変換例では、図８(Ａ)に示す差出人メールアドレス７４１に基いて、図４の個人情報５０ａを参照し、個人情報５０ａをアドレス５１４の行に特定する。次に、アドレス５１４の行での読み仮名の項目５３を適用し、差出人情報を、図８(Ｂ)に示す差出人情報７４３のように、“古  川太郎(こ  かわたろう)”に変換する。また、図８(Ａ)に示すメール本文７４２を、変換後のメール情報７４４に変換する。この変換により、ユーザー(受取人)にとって、メール内容をより理解し易くなる。
【００５８】
上述の図７と図８の例の様に、名前の漢字が同一であるが、姓と名の区切りが異なり、読みも異なる例であっても、前記の個人情報５０ａを利用すれば、図７(Ｂ)と図８(Ｂ)とに示すように、受取人にとって理解し易い情報に変換できる。
【００５９】
次に、図９(Ａ)に、電子メール情報の第５例を示し、図９(Ｂ)に図９(Ａ)の電子メール情報を、個人適応変換部４０が変換して、分かり易い電子メール情報に変換した変換例を示す。
【００６０】
この変換例では、差出人メールアドレス７５１に基いて、個人情報５０ａを参照し、個人情報５０ａをアドレス５１５の行に特定する。次に、個人情報５０ａの住所の項目５４を参照し、差出人情報を、図９(Ｂ)に示す変換例７５３のように、“古河  太郎(大阪のふるかわ  たろう)”と情報変換する。
【００６１】
同様に、図９(Ａ)に示すメール本文７５２を、図９(Ｂ)に示す変換例７５４の様に変換する。
【００６２】
この図９(Ｂ)での変換例を、上述の図７(Ｂ)での変換例と比較すれば分かるように、名前の読みが同一な“ふるかわ  たろう”を、図７(Ｂ)に示す“東京のふるかわ  たろう”と、図９(Ｂ)に示す“大阪のふるかわ  たろう”とに読み分けることができ、ユーザーに電子メールの内容をより理解し易く伝達できる。
【００６３】
次に、図１０(Ａ)に、図５(Ｂ)〜図９(Ｂ)に示したような差出人の報知情報７３１,７２３,７３３,７４３,７５３を作成する為の、差出人変換報知テーブル▲１▼,▲２▼を示す。テーブル▲１▼は、図５(Ｂ),図６(Ｂ),図８(Ｂ)に示したような個人情報の読み仮名を利用するテーブルである。また、テーブル▲２▼は、図７(Ｂ),図９(Ｂ)に示したような個人情報の住所と読み仮名を利用するテーブルである。図１０(Ａ)のテーブル▲１▼,▲２▼では、報知情報に、“ 〜 さんからのメールです。”という文章を追加し、より分かり易く報知できるように変換する変換テーブルである。
【００６４】
また、図１０(Ｂ)には、電子メールの本文中の名前を変換して報知する情報を作成する為の、名前変換報知テーブル▲１▼,▲２▼を示す。名前変換報知テーブル▲１▼は、個人情報の読み仮名を利用する例であり、▲２▼は個人情報の住所と読み仮名を利用する例である。この名前変換報知テーブル▲２▼は、住所と読み仮名を併記することで、より分かり易く報知できる内容にする変換テーブルである。
【００６５】
次に、図５〜図９を参照して説明した電子メール情報の変換例に、共通の情報処理過程を、図１１に示す個人適応変換部の処理フローを参照して説明する。
【００６６】
まず、受信した電子メールからメールアドレス部(例えば図５(Ａ)の７１１)を抽出し(ステップＳ１１)、次に、抽出したメールアドレスと個人情報５０ａのアドレス部(たとえば５１１)とを比較する(ステップＳ１２)。次に、上記メールアドレスに合致したアドレス行の個人情報を抽出する(ステップＳ１３)。
【００６７】
次に、この抽出した個人情報から、図１０(Ａ)に示したような差出人報知変換テーブル▲１▼,▲２▼を用いて、差出人報知情報(例えば、図５(Ｂ)に示す７１３)を作成して報知する(ステップＳ１４)。
【００６８】
次に、受信したメール本文(例えば、図５(Ｂ)の７１４)と、ステップＳ１３で抽出した個人情報の姓名部とを比較し、合致した場合は、図１０(Ｂ)に示したような名前変換報知テーブル▲１▼,▲２▼を用いて、前記抽出した個人情報の各項目に置き換えて、例えば、図５(Ｂ)の７１４に示すような本文を作成して報知する(ステップＳ１５)。
【００６９】
なお、上述の実施形態では、図１０に示すような変換テーブル▲１▼,▲２▼を用いて、個人情報５０ａのうちの姓名の項目５２や読み仮名５３や住所５４を利用したが、個人情報５０ａのうちの間柄の項目５５を利用してもよい。この場合には、例えば、差出人メールアドレスから個人情報５０ａの間柄を参照して、差出人を“おばさんの  …… ”、“おじさんの ……   ”などの様に情報変換し、読み分けることにより、ユーザーに内容をより理解し易くすることができる。
【００７０】
さらには、個人情報５０ａのうちの性別の項目５６を利用してもよい。例えば、差出人メールアドレスから個人情報５０ａの性別の項目５６を参照し、差出人が女性ならば女性音で読み上げ、差出人が男性ならば男性音で読み上げる様に情報変換し、読み分けることにより、ユーザーに内容をより理解し易くすることができる。
【００７１】
さらにまた、個人情報５０ａのうちの住所の欄５４の情報に対応して、テキスト音声変換部(音声発生手段)６１におけるアクセント等の読み上げ方法を変えるようにしてもよい。例えば、差出人メールアドレスから個人情報５０ａの住所の項目５４を参照し、差出人が関西の住所なら、関西のアクセント並びにイントネーションで読み上げるように情報変換する一方、差出人が関東の住所なら、関東のアクセント並びにイントネーションで読み上げる様に情報変換し、読み分けることによって、ユーザーに内容をより理解し易くすることができる。
【００７２】
また、個人情報として、受信した電子メールに添付された個人情報を用いるようにしてもよい。例えば、差出人側がメールを送信する際に、図４に示したような個人情報５０ａの例の１人分(１行分)の項目内容にあたる差出人の情報を、添付データとして電子メールに添付して送信するようにしてもよい。この添付データ付きの電子メールを、上記実施形態のような装置で受信し、添付された情報を個人情報として用いることで、差出人の個人情報を予め持っていない場合であっても、前述のような電子メールの情報変換,情報追加を行え、受信者に取って分かり易い電子メール情報とすることができる。
【００７３】
【発明の効果】
以上より明らかなように、この発明の電子メール端末装置によれば、個人情報適応変換手段で、電子メールのメールアドレスと、姓名等の個人情報とを用いて、受信した電子メール情報の修正,補足情報の追加を、個人情報に適応して行う。そして、この情報加工された電子メールを、報知手段の音声発生手段でテキスト音声変換して報知する。
【００７４】
したがって、この発明によれば、受信した電子メール情報を、メールアドレスの個人情報に適応して、情報加工することで、受信した電子メールの内容(差出人やメール本文の内容)を、テキスト音声変換によって正しく分かり易く報知できる。
【００７５】
すなわち、メールの報知において間違った読み上げを防止でき、差出人が誰かをユーザーに分かり易く表現できる。例えば、同姓あるいは、同名の人がいたり、同じ文字列でありながら異なる読み方がある場合において、読みや、区切り,アクセントの位置,イントネーション等を、正しく表現して意味が分かるようにし、リアル性に富み、正確なイメージを受信者に伝達することができる。
【００７６】
また、この発明では、電子メールの報知手段を、表示による報知手段以外の音声発生手段による報知手段としたから、受信者は端末装置の画面を見ずに、内容を認識できる。したがって、受信者は、他の作業をしながらメールを確認できる。
【００７７】
また、この発明では、テキスト音声変換する音声発生手段としたから、音声発生手段として音声データを利用する場合のように大きなデータ量を取り扱う必要がなく、通信時間もテキストの場合と同じで実現でき、メモリー使用量の削減、並びに通信コストの削減を実現できる。
【００７８】
また、一実施形態では、上記報知手段は、上記電子メールの本文を読み上げる前に、上記電子メールの差出人情報を先に報知する。したがって、音声発生手段による時系列に従った読み上げの際に、表示手段による報知のように一覧で内容を確認できなくても、誰からのメールかを、いち早く理解できる上に、それ以降の電子メールの本文についての理解が容易になる。
【００７９】
また、他の実施形態では、個人情報として、姓名の読み仮名を利用するので、メール差出人の姓名の読み間違いを防止でき、電子メールの内容を理解し易くできる。
【００８０】
また、一実施形態では、個人情報として、住所を利用するから、差出人を特定し易くなり、電子メールの内容についても理解し易くなる。特に、同姓の人や、読みが同一の人が複数人存在する場合、住所情報の全部または一部を補足することによって、差出人を特定し易くなり、受信した電子メールの内容を理解し易くなる。
【００８１】
また、他の実施形態は、個人情報として、その個人と受信者との間柄を利用するから、差出人の補足情報が報知され、差出人を特定し易くなり、電子メールの内容を理解し易くできる。特に、親戚等で同一の住所で同一姓の人が複数いる場合、間柄情報を補足することが有効である。
【００８２】
また、一実施形態は、個人情報として性別を利用するから、差出人の性別によって、音声発生手段による男性音,女性音での読み分けが可能となり、リアル性をより向上でき、差出人を特定し易くなり、電子メールの内容を理解し易くなる。
【００８３】
また、他の実施形態では、個人情報の住所に応じて、音声発生手段におけるアクセント,イントネーション等の読み上げ方法を変えるから、リアル性をより向上でき、差出人を特定し易くなり、電子メールの内容を理解し易くできる。
【００８４】
また、一実施形態では、電子メールに添付された個人情報を利用するから、初めての差出人からの電子メールを受信した場合や、メモリー容量を多く持たない小型,ローコストの端末装置の場合であっても、個人情報を利用でき、電子メールの読み間違い防止や理解容易性を向上することができる。
【図面の簡単な説明】
【図１】  この発明の個人情報適応電子メール端末装置の実施形態
の構成を示すブロック図である。
【図２】  上記実施形態の概略処理フローを示すフローチャートである。
【図３】  上記実施形態の報知手段６０のブロック図である。
【図４】  上記実施形態の個人情報部５０に格納される具体的な個人情報５０ａを示す図である。
【図５】  図５(Ａ)は電子メール情報の第１例を示す図であり、図５(Ｂ)は図５(Ａ)の電子メール情報を個人適応変換部で分かり易い電子メール情報に変換した変換例を示す図である。
【図６】  図６(Ａ)は電子メール情報の第２例を示す図であり、図６(Ｂ)は図６(Ａ)の電子メール情報を個人適応変換部で分かり易い電子メール情報に変換した変換例を示す図である。
【図７】  図７(Ａ)は電子メール情報の第３例を示す図であり、図７(Ｂ)は図７(Ａ)の電子メール情報を個人適応変換部で分かり易い電子メール情報に変換した変換例を示す図である。
【図８】  図８(Ａ)は電子メール情報の第４例を示す図であり、図８(Ｂ)は図８(Ａ)の電子メール情報を個人適応変換部で分かり易い電子メール情報に変換した変換例を示す図である。
【図９】  図９(Ａ)は電子メール情報の第５例を示す図であり、図９(Ｂ)は図９(Ａ)の電子メール情報を個人適応変換部で分かり易い電子メール情報に変換した変換例を示す図である。
【図１０】  図１０(Ａ)は上記実施形態で使用する差出人変換報知テーブルの一例を示す図であり、図１０(Ｂ)は上記実施形態で使用する名前変換報知テーブルの一例を示す図である。
【図１１】  上記実施形態の個人適応変換部の処理を示すフローチャートである。
【符号の説明】
１ａ…個人情報適応電子メール端末装置、１０…通信部、
２０…電子メール処理部、３０…個人特定部、４０…個人情報適応変換部、
５０…個人情報部、５０ａ…個人情報、
５１…個人情報のメールアドレスの項目、５２…個人情報の姓名の項目、
５３…個人情報の読み仮名の項目、５４…個人情報の住所の項目、
５５…個人情報の間柄の項目、５６…個人情報の性別の項目、
５１１…特定個人のメールアドレスの例１、
５１２…特定個人のメールアドレスの例２、
５１３…特定個人のメールアドレスの例３、
５１４…特定個人のメールアドレスの例４、
５１５…特定個人のメールアドレスの例５、
６０…報知手段、
６１…テキスト音声変換部、６２…音素発生部、
６３…音声発生部(スピーカー)、
７１１…メール例１の差出人メールアドレス、
７１２…メール例１のメール本文、
７１３…メール例１の情報変換後の差出人情報、
７１４…メール例１の情報変換後のメール情報、
７２１…メール例２の差出人メールアドレス、
７２２…メール例２のメール本文、
７２３…メール例２の情報変換後の差出人情報、
７２４…メール例２の情報変換後のメール情報、
７３１…メール例３の差出人メールアドレス、
７３２…メール例３のメール本文、
７３３…メール例３の情報変換後の差出人情報、
７３４…メール例３の情報変換後のメール情報、
７４１…メール例４の差出人メールアドレス、
７４２…メール例４のメール本文、
７４３…メール例４の情報変換後の差出人情報、
７４４…メール例４の情報変換後のメール情報、
７５１…メール例５の差出人メールアドレス、
７５２…メール例５のメール本文、
７５３…メール例５の情報変換後の差出人情報、
７５４…メール例５の情報変換後のメール情報。
【図１】
0004392956.tif 000002
【図２】
0004392956.tif 000003
【図３】
0004392956.tif 000004
【図４】
0004392956.tif 000005
【図５】
0004392956.tif 000006
【図６】
0004392956.tif 000007
【図７】
0004392956.tif 000008
【図８】
0004392956.tif 000009
【図９】
0004392956.tif 000010
【図１０】
0004392956.tif 000011
【図１１】
0004392956.tif 000012